(57)【特許請求の範囲】
【請求項１】
被検眼を撮像するための撮像光学系と、該撮像光学系の光路内に配置する光学部材と、該光学部材を側方から照明する光源とを備え、前記光学部材は前記光路に関し被検眼に対して反対側の面に拡散反射領域を設けたことを特徴とする眼科装置。
【請求項２】
前記拡散反射領域は板状の前記光学部材の片面に拡散部材を付設したことにより形成した請求項１に記載の眼科装置。
【請求項３】
前記光学部材の側面は拡散面とした請求項１に記載の眼科装置。
【請求項４】
前記光学部材を前記撮影光学系に挿脱自在に配置し、前記光源を前記撮影光学系に対して固定して配置した請求項１に記載の眼科装置。
【請求項５】
前記光源からの光を前記挿脱自在な光学部材に固定した導光部材により導くようにした請求項４に記載の眼科装置。
【発明の詳細な説明】
【０００１】
【発明の属する技術分野】
本発明は、眼科医院等において被検眼の眼底撮影等に使用される眼科装置に関するものである。
【０００２】
【従来の技術】
従来から、眼底カメラの固視灯は撮影光学系から分岐した光学系を設けて、その光学系中に固視目標となる視標を配置し、その視標を背後から照明して被検眼の眼底に投影するようにしている。
【０００３】
【発明が解決しようとする課題】
しかしながら上述の従来例においては、固視目標を配置した光学系の光路を分岐するために広いスペースが必要となり、光学系全体が大きくなって眼科装置の操作性を損ねるという問題があり、また光路を分岐するために光路切換ミラーを使用することによって複雑な機構が必要となるために、装置が高価になって故障の危険性が増大する。一方、光路切換ミラーを使用しない場合には、波長分割ミラーやハーフミラー等の高価な部品を使用しなければならないので、製品価格が上昇するという問題が生ずる。
【０００４】
本発明の目的は、上述の問題点を解消し、分岐光路を形成することなく固視目標を提示することができる眼科装置を提供することにある。
【０００５】
【課題を解決するための手段】
上記目的を達成するための本発明に係る眼科装置は、被検眼を撮像するための撮像光学系と、該撮像光学系の光路内に配置する光学部材と、該光学部材を側方から照明する光源とを備え、前記光学部材は前記光路に関し被検眼に対して反対側の面に拡散反射領域を設けたことを特徴とする。
【０００７】
【発明の実施の形態】
本発明を図示の実施例に基づいて詳細に説明する。
図１は実施例の眼底カメラの構成図を示し、眼底照明光学系Ａの光路上には、ハロゲンランプ等の定常光を発する観察用光源１、コンデンサレンズ２、赤外光を透過し可視光を遮断するフィルタ３、ストロボ等の撮影用光源４、レンズ５、リング状開口を有する絞り６、リレーレンズ７、リング状開口を有する絞り８、中央部開口を有する孔あきミラー９が順次に配列されている。
【０００８】
また、眼底撮影光学系Ｂの光路上には、対物レンズ１０、孔あきミラー９、光軸上の位置を変化させてピントを調整するフォーカスレンズ１１、撮影レンズ１２、静止画像用撮像素子１３が順次に配列されている。そして、撮影レンズ１２と撮像素子１３の間には、撮影光学系Ｂから眼底像を分岐する切換ミラー１４が配置され、切換ミラー１４からの観察光学系Ｃの光路上には、レンズ１５、ミラー１６、レンズ１７、撮像素子１８が順次に配列されている。
【０００９】
対物レンズ１０の近傍には前眼部照明用光源１９が配置され、対物レンズ１０と孔あきミラー９の間には前眼部観察光学系Ｄが配置されている。この前眼部観察光学系Ｄには、レンズ２０、固視目標２１ａとなる散乱領域を有する視標部材２１、中央部にイメージスプリットプリズム２２を有する光学部材、レンズ２３が配列され、視標部材２１の近傍には、視標部材２１を側方から照明する照明用光源２４が配置され、これら部材が一体となって撮影光学系Ｂの光路に挿脱可能とされている。
【００１０】
図２は視標部材２１の正面図、図３は側面図を示し、固視目標２１ａは硝子板の中央を視標の形状に薬剤で腐食し、そこに拡散部材である白色塗料を埋め込むことにより形成され、対物レンズ１０、レンズ２０に関し、被検眼Ｅの眼底とほぼ共役になる位置に配置されている。また、プリズム２２は対物レンズ１０及びレンズ２０に関して、被検眼Ｅと対物レンズ１０側の作動距離（ワーキングディスタンス）が適正になったときに、被検眼Ｅの前眼部とほぼ共役になる位置に配置されている。
【００１１】
撮像素子１３、１８の出力は画像処理部２５に接続され、画像処理部２５の出力はテレビモニタ２６、画像メモリ２７、制御部２８に接続されている。制御部２８の出力は前眼部観察光学系Ｄ、撮影用光源４に接続され、観察部位選択スイッチ２９及び撮影スイッチ３０の出力が制御部２８に接続されている。
【００１２】
このような構成において、撮影光学系Ｂの光軸が被検眼Ｅの瞳孔の中心を通り、対物レンズ１０と被検眼Ｅの角膜が適正な距離を保つように、撮影者は図示しない通常の手段により、前眼部を観察しながら光学系と被検眼Ｅとの位置合わせを行う。即ち、前眼部観察状態においては、前眼部観察光学系Ｄが撮影光路内に挿入されており、前眼部照明用光源１９を発した光は、被検眼Ｅの瞼及びその周囲、虹彩、強膜等の前眼部を照明する。
【００１３】
照明された前眼部像は、対物レンズ１０、レンズ２０、視標部材２１を透過し、プリズム２２の付近に一旦結像し、プリズム２２は前眼部像を分離し、レンズ２３、孔あきミラー９の開口部、フォーカスレンズ１１、撮影レンズ１２を通り、切換ミラー１４により上方に反射され、レンズ１５の付近に再度結像し、レンズ１５を通りミラー１６により左方に反射され、レンズ１７により撮像素子１８付近に結像する。そして、前眼部像は撮像素子１８において映像信号に変換され、画像処理部２５に入力されテレビモニタ２６に映し出される。
【００１４】
プリズム２２は作動距離が適正なときに前眼部像が結像する位置に配置されているので、作動距離が適正でない場合には、図４に示すように上下の前眼部像が左右にずれて映し出されるが、適正になれば図５に示すように前眼部像の上下が一致する。また、プリズム２２のプリズム面と反対の面には、被検眼Ｅの位置合わせの基準となり、かつ撮影可能な瞳孔径の基準となる視標が印刷されている。この視標は前眼部像と同様の光路を通って撮像素子１８の付近に結像し、図４、図５に示すように、前眼部像と共に視標像Ｔとしてテレビモニタ２６に表示される。なお図１に示すように、レンズ２３を前記基準となる視標部材２１と離して配置することにより、前眼部像を拡大して結像することができ、より正確な位置合わせが可能となる。
【００１５】
このとき、被検者は固視目標２１ａを視認しており、照明用光源２４を発した光は、視標部材２１を側方より照明し、視標部材２１の内部を進んで固視目標２１ａに達し、固視目標２１ａに散乱拡散反射され、視標部材２１の固視目標２１ａのない側の面、レンズ２０、対物レンズ１０を通って、被検眼Ｅの眼底に投影される。
【００１６】
視標部材２１の周辺部つまりコバ部は研磨面ではなく、磨りガラスのような粗く磨いた拡散面にしておくと、この拡散面全体が二次光源となり、固視目標２１ａをより明るく均一に照明することができる。また、光源を１個ではなく視標部材２１の周囲に複数個設けた方が、さらに明るく均一に照明することができる。
【００１７】
固視目標２１ａを視標部材２１の被検眼Ｅに対して反対側の面に形成することにより、視標部材２１の内面で反射した光が有効に固視目標２１ａを照明することになり、より明るく固視目標２１ａを提示することができる。また、プリズム２２と共に固視目標２１ａを使用することにより、前眼部像に形成する固視目標２１ａ像の光束はプリズム２２によって偏向されるので、テレビモニタ２６上に固視目標２１ａの影が映り込むことを防ぐことができる。
【００１８】
このようにして、被検眼Ｅと対物レンズ１０の位置合わせが完了した後に、観察部位選択スイッチ２９を操作すると、制御部２８は前眼部照明光源１９を消灯し、前眼部観察光学系Ｄを光路外に退避させ、観察用光源１を点灯して眼底観察状態に切換える。
【００１９】
観察用光源１を発した光はコンデンサレンズ２により集光され、フィルタ３により可視光は遮断され、ストロボ光源４、レンズ５、絞り６の開口部、リレーレンズ７、絞り８の開口部を通り、孔あきミラー９の周辺のミラー部により左方に反射され、対物レンズ１０を通り、被検眼Ｅの瞳孔より眼底を照明する。このように照明された眼底像は、再び瞳孔、対物レンズ１０、孔あきミラー９の孔部、フォーカスレンズ１１、撮影レンズ１２を通り、切換ミラー１４により上方に反射され、レンズ１５を通りミラー１６により左方に反射され、レンズ１７により撮像素子１８に結像する。
【００２０】
この像は前眼部像と同様に映像信号に変換され、画像処理部２５を通りテレビモニタ２６に表示される。撮影者はこのテレビモニタ２６に映った眼底像を観察し、撮影部位、フレアの有無、ピントの状態等が適正であることを確認して撮影動作に移る。
【００２１】
検者が撮影スイッチ３０を操作すると、制御部２８は切換ミラー１４を光路外に退避し、撮像素子１３は静止画撮影のための光蓄積を開始し、同時に撮影用光源４が発光する。撮影用光源４を発した光は、レンズ５を通った後に、観察光と同様の光路を通り眼底を照明する。このように照明された眼底像は、対物レンズ１０、孔あきミラー９の開口部、フォーカスレンズ１１、撮影レンズ１２を通り、撮像素子１３に静止画像を結像する。この静止画像はデジタル信号に変換され、画像処理部２５を介して画像メモリ２７に記憶され、テレビモニタ２６に再生される。
【００２２】
上述の実施例においては、固視目標２１ａを照明する照明用光源２４を前眼部観察光学系Ｄに固定し、前眼部観察光学系Ｄと共に撮影光路内に挿脱するように構成したので、照明用光源１９に電流を供給する電線を可動部である前眼部観察光学系Ｄに繋ぐことになり、前眼部観察光学系Ｄを動かすことによって断線等の問題が発生する可能性がある。
【００２３】
従って、照明用光源２４を前眼部観察光学系Ｄではなく撮影光学系Ｂを支持する筐体に固定し、前眼部観察光学系Ｄの光路内への挿入に連動して点灯し、視標部材２１を側方から照明するようにする。このようにすれば、電線が可動部の動きを規制することがなくなり、断線の心配を回避することができる。このとき光源２４と視標部材１２との距離が遠くなってしまい十分な光量が得られないときは、視標部材２１に対して図示しないファイバの一端を固定し、その他端が光源２４の付近に位置するように配置し、このファイバを介して光を光源２４から、視標部材２１の側面まで導いてもよい。このように、構成すると視標部材２１と共にファイバも挿脱されるので、撮影時に光路を妨げる虞れがない。
【００２４】
なお、本発明は、眼底カメラだけでなく眼圧計、屈折計、角膜計等のその他の眼科装置に対しても実施可能である。
【００２５】
【発明の効果】
以上説明したように本発明に係る眼科装置は、固視目標を提示するための分岐光路を形成する必要がないので、複雑な構造や高価な部品を使用せずに、安価でかつ操作の容易な眼底カメラとすることができ、また光路中に分岐部材を配置する必要がないので、部品配置の自由度が広がる。
【図面の簡単な説明】
【図１】実施例の眼底カメラの構成図である。
【図２】視標部材の正面図である。
【図３】側面図である。
【図４】前眼部観察像の説明図である。
【図５】前眼部観察像の説明図である。
【符号の説明】
１、４、１９、２４  光源
３  フィルタ
６、８  リング状開口絞り
１３、１８  撮像素子
２１  視標部材
２２  プリズム
２５  画像処理部
２６  テレビモニタ
２７  画像メモリ
２８  制御部
２９、３０  スイッチ
【図１】
0003697001.tif 000002
【図２】
0003697001.tif 000003
【図３】
0003697001.tif 000004
【図４】
0003697001.tif 000005
【図５】
0003697001.tif 000006